(57)【要約】【課題】キッチンでの作業者の行動を妨げることなく、製造コストを抑えるとともに、任意の箇所で開口の広い観音開きが可能な収納キャビネットを提供すること。【解決手段】内部に収容部が形成された本体と、この収納部に連通する開口１７，１８，１９を開閉可能な回動扉９，１０，１１と、から成る収納キャビネット２であって、回動扉９，１０，１１は、互いに並設された少なくとも３枚から構成されており、両端に設けた回動扉９，１０は、回動扉９，１０の隣りの回動扉１１に対向する一側辺側周りに回動可能な片開き構造であるとともに、両端に設けた回動扉９，１０を除いた中央側に設けた回動扉１１は、回動扉１１の両隣りの回動扉９，１０に隣接する二側辺側のいずれか一側辺側周りに回動可能な両開き構造である。【選択図】図６
2008180051.tif 000002
【特許請求の範囲】
【請求項１】
内部に収容部が形成された本体と、前記収納部に連通する開口を開閉可能な回動扉と、から成る収納キャビネットであって、
前記回動扉は、互いに並設された少なくとも３枚から構成されており、
両端に設けた回動扉は、該回動扉の隣りの回動扉に対向する一側辺側周りに回動可能な片開き構造であるとともに、
前記両端に設けた回動扉を除いた中央側に設けた回動扉は、該回動扉の両隣りの回動扉に隣接する二側辺側のいずれか一側辺側周りに回動可能な両開き構造であることを特徴とする収納キャビネット。
【請求項２】
前記回動扉は、連続する一の開口を開閉可能に枢支されていることを特徴とする請求項１に記載の収納キャビネット。
【請求項３】
前記開口は、互いに所定角度を有して形成された少なくとも３面の開口面により形成されており、該開口面に沿って、少なくとも３枚の前記回動扉が夫々枢支されていることを特徴とする請求項１または２に記載の収納キャビネット。
【請求項４】
前記開口は、前記側辺方向から視て中央側の角部を直線で切り落し、互いに所定角度を有して形成された３面の開口面により形成されており、該３面の開口面に沿って、３枚の前記回動扉が夫々枢支されていることを特徴とする請求項１ないし３のいずれかに記載の収納キャビネット。
【発明の詳細な説明】
【技術分野】
【０００１】
本発明は、キッチン等に載置される左右両開き扉を備えた収納キャビネットに関する。
【背景技術】
【０００２】
従来の収納キャビネットとしては、収納部に連通する前面開口を開閉する扉を、左右端のどちらかに備えられた垂直軸周りに回動する片開きの扉として構成しているものと、扉の左右両端に垂直軸を設けて、どちらの垂直軸周りにも回動自在な両開き扉として構成している二通りの扉を有する収納キャビネットが広く知られている。
【０００３】
また、上記二通りの扉からなる収納キャビネットでは、前面の中央に主扉、前面の左右両側に側面扉、これらの扉で覆われるように収納部をそれぞれ設け、主扉を片開き扉として構成し、左右両側面扉を両開き扉として構成し、主扉と一方の側面扉とで前面開口面上で対向する垂直軸をそれぞれ備えた一対の片開きの扉からなる観音開きの扉として構成しているものがある。（例えば、特許文献１参照）。
【０００４】
【特許文献１】特開２００５−６６３６４号公報（第４頁、第２図）
【発明の開示】
【発明が解決しようとする課題】
【０００５】
しかしながら、このような収納キャビネットをキッチンに適用しようとした場合、一般的にキッチンは、例えば大皿や鍋といった収納キャビネットの収納部から取り出すには比較的大きな開口を必要とする物品が多く、且つ狭い空間であるので、このようなキッチンに適用する収納キャビネットの扉を片開き若しくは両開き一枚として構成すると、開口は大きく取ることができるが、扉の回動半径が大きいのでキッチン内での作業者の行動を著しく妨げてしまう。
【０００６】
また、収納キャビネットの扉を片開きのみとして所定枚数構成すると、回動半径は小さくなるが、一枚あたりの開口が小さくなってしまうので、大きな開口を必要とする物品を取り出すことができない。更に、収納キャビネットの扉を両開きのみとして所定枚数構成すると、回動半径を小さくしつつ開口を大きく取ることはできるが、扉の構造の複雑さから収納キャビネットの製造コストが増大してしまう。
【０００７】
また、特許文献１の構造をキッチンの収納キャビネットに適用すると、主扉と一方の側面扉での観音開きの構成となり開口を大きく取ることができるが、もう一方の側面扉では片面開きでしか開閉することができずに開口を大きく取ることはできない。
【０００８】
本発明は、このような問題点に着目してなされたもので、キッチンでの作業者の行動を妨げることなく、製造コストを抑えるとともに、任意の箇所で開口の広い観音開きが可能な収納キャビネットを提供することを目的とする。
【課題を解決するための手段】
【０００９】
上記課題を解決するために、本発明の請求項１に記載の収納キャビネットは、
内部に収容部が形成された本体と、前記収納部に連通する開口を開閉可能な回動扉と、から成る収納キャビネットであって、
前記回動扉は、互いに並設された少なくとも３枚から構成されており、
両端に設けた回動扉は、該回動扉の隣りの回動扉に対向する一側辺側周りに回動可能な片開き構造であるとともに、
前記両端に設けた回動扉を除いた中央側に設けた回動扉は、該回動扉の両隣りの回動扉に隣接する二側辺側のいずれか一側辺側周りに回動可能な両開き構造であることを特徴としている。
この特徴によれば、隣りの回動扉に対向する一側辺側周りに回動可能な片開き構造の回動扉と、両隣りの回動扉に隣接する二側辺側のいずれか一側辺側周りに回動可能な両開き構造の中央側に設けた回動扉とを組合わせて配置することにより、製造コストを抑えるとともに、任意の隣り合った２枚の回動扉を観音開きにして開口面積を大きく取ることが出来る。
【００１０】
本発明の請求項２に記載の収納キャビネットは、請求項１に記載の収納キャビネットであって、前記回動扉は、連続する一の開口を開閉可能に枢支されていることを特徴としている。
この特徴によれば、任意の隣り合った２枚の回動扉を観音開きにして、連続して開口面積を大きく取った一の開口を利用し、収納部に収納物を出し入れ出来る。
【００１１】
本発明の請求項３に記載の収納キャビネットは、請求項１または２に記載の収納キャビネットであって、前記開口は、互いに所定角度を有して形成された少なくとも３面の開口面により形成されており、該開口面に沿って、少なくとも３枚の前記回動扉が夫々枢支されていることを特徴としている。
この特徴によれば、所定角度を有する開口を設けた収納キャビネットの形状に合わせて、回動扉を適宜設置出来るばかりか、所定角度分を除いた小さい開き角度で、開口を全開に出来る。
【００１２】
本発明の請求項４に記載の収納キャビネットは、請求項１ないし３のいずれかに記載の収納キャビネットであって、前記開口は、前記側辺方向から視て中央側の角部を直線で切り落し、互いに所定角度を有して形成された３面の開口面により形成されており、該３面の開口面に沿って、３枚の前記回動扉が夫々枢支されていることを特徴としている。
この特徴によれば、中央の両開き構造の回動扉が、角部を切り落して形成した中央の開口面を開閉するため、３面形成した開口を設けた収納キャビネットを、キッチン等の比較的狭い場所のコーナーに配置しても、邪魔になることなく回動扉を回動出来る。
【発明を実施するための最良の形態】
【００１３】
本発明の実施例を以下に説明する。
【実施例】
【００１４】
本発明の実施例を図面に基づいて説明すると、先ず図１は、本発明の実施例における収納キャビネットを備えたキッチンを示す平面図であり、図２（ａ）は、収容キャビネットの回動扉を閉塞した状態を示す斜視図であり、図２（ｂ）は、同じく右側２枚の回動扉を観音開きにした状態を示す斜視図であり、図２（ｃ）は、同じく左側２枚の回動扉を観音開きにした状態を示す斜視図であり、図３は、収容キャビネットを示す平面図であり、図４は、収容キャビネットの支持装置を示す正面図であり、図５（ａ）は、支持装置を示す平面図であり、図５（ｂ）は、支持装置を示すＡ−Ａ正面図であり、図６は、中央回動扉の左開きを示す斜視図であり、図７（ａ）は、中央回動扉が閉塞した状態を示す平面図であり、図７（ｂ）は、中央回動扉が前方に引出された状態を示す平面図であり、図８（ａ）は、中央回動扉の左開きを示す平面図であり、図８（ｂ）は、中央回動扉の右開きを示す平面図である。以下、図３の紙面下側を収納キャビネットの正面側として説明する。
【００１５】
図１は、本実施例のキッチン１に本発明の収納キャビネット２を適用した一例である。キッチン１における各什器の配置について説明すると、冷蔵庫５、収納キャビネット２、そして食器棚６が、全体で平面視略Ｌ字状に成るように、夫々の背面若しくは側面同士を当接させて配置されている。そして通路４を挟んでこれらに対向するように、平面視上方向と左方向に延びた略Ｌ字状のキッチン台３が配置されている。キッチン台３上面における紙面上方にはコンロ７、左方にはシンク８が備えられている。
【００１６】
図２（ａ）〜（ｃ）及び図３に示すように、収納キャビネット２について説明すると、先ず収納キャビネット２の基本的な平面視形状は、平面視正方形の正面方向（紙面下方）に向けられている仮想の角部を直線で切り落としたような略五角形として形成されている。収納キャビネット２の構成部材として、上記した略五角形に形成された天板１３及び底板１４と、平面視二辺の長さが等しく且つ略直角に形成されたＬ字状の背板１２とを互いに組付けることで、前面側に連続した開口面１７，１８，１９を有する本体が構成され、この開口面１７，１８，１９をそれぞれ開閉する回動扉９，１０，１１が、後述のように、並設して回動可能に取り付けられている。
【００１７】
また、収納キャビネット２の本体内部について説明すると、天板１３と底板１４間において、背板１２の内壁部１５の一面と略同じ長さの長辺を有する長方形状の板と、内壁部１５の一面の略半分長さの辺を有する正方形状の板とを、平面視Ｌ字状となるように同一平面上で突合わせて一段の棚板１６として構成し、複数段の棚板１６をそれぞれ床面と平行となるように配置している。
【００１８】
次に、  図２（ｂ）及び図２（ｃ）に示すように、収納キャビネット２の正面方向の三面には平面視所定角度を有する開口面１７，１８，１９が連続して形成されており、この開口面１７，１８，１９に沿って、３枚の回動扉９，１０，１１がそれぞれ開閉自在に取り付けられる。
【００１９】
詳しくは、図３に示すように、開口面１７の左端部に位置する背板１２の左側端面２０に、左側回動扉９が右開きに、すなわち中央回動扉１１に対向する一側辺周りに回動可能に枢支されて取り付けられる。逆に、開口面１８の右端部に位置する背板１２の右側端面２１には、右側回動扉１０が左開きに、すなわち中央回動扉１１に対向する一側辺周りに回動可能に枢支されて取り付けられる。尚、左側回動扉９と右側回動扉１０が枢支される軸の図示は省略する。
【００２０】
尚、ここで右開きとは、回動扉の開く方向が平面視右回り方向であることをいい、左開きとは、回動扉の開く方向が平面視左回り方向であることをいう。更に尚、後述する右回動とは、平面視右回り回動であることをいい、左回動とは、平面視左回り回動であることをいう。
【００２１】
また、開口面１９の中央に取り付けられる中央回動扉１１の平面視形状は、左右両幅方向に開口面１９を超えて平面視所定角度を持って更に延び、隣り合う開口面１７，１８における開口面１９寄りの一部を被覆するよう平面視左右対称形状に形成されている。そして、開口面１７，１８に取り付けられる左側回動扉９と右側回動扉１０の幅は、開口面１７，１８の幅よりも幅狭に形成される。図に示されるように、回動扉９，１０，１１の閉塞状態においては、各回動扉９，１０，１１の隣合う側辺同士が近接している。
【００２２】
次に、中央回動扉１１の回動に用いられる支持装置２５について説明する。
【００２３】
図３及び図４に示すように、中央回動扉１１の背面には、上端側及び下端側にそれぞれ、中央回動扉１１を右開き及び左開きの両方に回動可能に枢支する支持装置２５が設けられている。中央回動扉１１の背面において、上端側及び下端側にそれぞれ設けられた支持装置２５は、上下左右を逆にして配置した同一の装置であるため、下端側に設けられた支持装置２５の説明を省き、上端側に設けられた支持装置２５のみについて以下に説明する。
【００２４】
図５（ａ）及び図５（ｂ）に示すように、支持装置２５は、第１の連結アーム２２、第２の連結アーム２３、リンク部材２４とから主として構成される両開き構造を有している。第１の連結アーム２２は、一端が中央回動扉１１における第１の側辺側（図示右側辺側）にリンク部材２４を介して回動可能に連結され、他端が収納キャビネット２の本体における中央回動扉１１の閉塞状態の第２の側辺側（図示左側辺側）にリンク部材２４を介して回動可能に連結されている。また、第２の連結アーム２３は、上記した第１の連結アーム２２とは逆に、一端が中央回動扉１１における第２の側辺側（図示左側辺側）にリンク部材２４を介して回動可能に連結され、他端が収納キャビネット２の本体における中央回動扉１１の閉塞状態の第１の側辺側（図示右側辺側）にリンク部材２４を介して回動可能に連結されている。
【００２５】
次に、各部材自体の形状について説明すると、第１の連結アーム２２と第２の連結アーム２３とは、同じ形状寸法の部材により構成されている。第１の連結アーム２２及び第２の連結アーム２３の平面視形状は、中央回動扉１１の平面視形状をほぼ同形に縮小した概略形状であって、且つ角度を持って延びる両端のうち一端の角度を他端より大きく形成した平面視左右非対称形状に形成されている。また、リンク部材２４は、第１リンク部材３３と第２リンク部材３４とからなっており、第１リンク部材３３は略直線状に形成されている。第２リンク部材３４は、直線形状から角度を持って延びる平面視略Ｌ字状に形成されている。
【００２６】
また、天板下面２８に設けられた吊下金具２９の平面視形状は、中央回動扉１１の平面視形状とほぼ同形に縮小した概略形状であって、且つ角度を持って延びる両端部が幅広に形成された形状である。正面視では略コ字状であり、コ字の開口を上向きにして両端部が天板下面２８に螺着されている。
【００２７】
連結金具２７は、左右方向に延びる取付面を有する方形部３０と、方形部３０に対し垂直に延びたヒンジ部３１からなる。方形部３０の左右端には螺着孔３２が形成されており、この螺着孔３２に挿通したネジ（図示略）によって、連結金具２７が中央回動扉１１の裏面２６の左右端部に螺着されて固定に取り付けられる。
【００２８】
連結アーム２２，２３の取り付けについて説明すると、第１の連結アーム２２の一端を、中央回動扉１１の裏面２６の一側辺側にリンク部材２４を介して、連結金具２７に回動可能に連結するとともに、他端を、収納キャビネット２の天板下面２８に設けられた吊下金具２９の他側辺側に、リンク部材２４を介して回動可能に連結する。同様に、第２の連結アーム２３の一端を、中央回動扉１１の裏面２６の他側辺側にリンク部材２４を介して、連結金具２７に回動可能に連結するとともに、他端を、収納キャビネット２の天板下面２８に設けられた吊下金具２９の一側辺側に、リンク部材２４を介して回動可能に連結する。
【００２９】
次に、支持装置２５の具体的な構成を説明する。
【００３０】
図５（ａ），（ｂ）に示すように、中央回動扉１１が閉じた状態において、中央回動扉１１の裏面２６の図示右端上方に取り付けられた連結金具２７は、ヒンジ部３１が吊下金具２９よりも上方となるように取り付けられる。
【００３１】
このヒンジ部３１の先端には、第１リンク部材３３と第２リンク部材３４の一端がヒンジ部３１の上方から軸ピン４１，４２により回動可能に枢支されている。更に、第１リンク部材３３と第２リンク部材３４の他端が、第１の連結アーム２２の図示右端部近傍に上方から軸ピン３９，４０により回動可能に枢支されている。
【００３２】
また、第２の連結アーム２３の図示右端近傍に第１リンク部材３３と第２リンク部材３４が下方から軸ピン４９，５０により回動可能に枢支され、更に第１リンク部材３３と第２リンク部材３４の他端が、吊下金具２９に下方から軸ピン４７，４８により回動可能に枢支されている。尚、上方から枢支される第１リンク部材３３及び第２リンク部材３４と、下方から枢支される第１リンク部材３３及び第２リンク部材３４は、吊下金具２９を挟んで上下方向に対向する位置に枢支されている。
【００３３】
中央回動扉１１の裏面２６の図示左端上方に取り付けられる連結金具２７の位置は、図示右端の連結金具２７と比較すると、ヒンジ部３１が吊下金具２９の下方となるよう取り付けられている。これにより、第１の連結アーム２２と第２の連結アーム２３が上下方向に交わして回動可能となるため、互いの動きを干渉してしまうことを防ぐことができる。
【００３４】
図示左端上方に取り付けられた連結金具２７のヒンジ部３１の先端には、第１リンク部材３３と第２リンク部材３４の一端がヒンジ部３１の下方から軸ピン４４，４３により回動可能に枢支されている。更に、第１リンク部材３３と第２リンク部材３４の他端が、第２の連結アーム２３の左端近傍に下方から軸ピン４６，４５により回動可能に枢支されている。
【００３５】
また、第１の連結アーム２２左端近傍に第１リンク部材３３と第２リンク部材３４が上方から軸ピン３６，３５により回動可能に枢支され、更に第１リンク部材３３と第２リンク部材３４の他端が、吊下金具２９に上方から軸ピン３８，３７により回動可能に枢支されている。尚、右端の連結金具２７周りと同様に、上方から枢支される第１リンク部材３３及び第２リンク部材３４と、下方から枢支される第１リンク部材３３及び第２リンク部材３４は、吊下金具２９を挟んで上下方向に対向する位置に枢支されている。
【００３６】
次に、支持装置２５の動きを説明する。図７（ａ）及び（ｂ）に示すように、先ず、中央回動扉１１を開口面１９に対し略平行に前方に引出すことで、回動中心である左右のヒンジ部３１，３１を略均等に前方に移動させて、中央回動扉１１の端部が隣接する回動扉９，１０への当接を防止する。すなわち、仮に中央回動扉１１を閉塞状態からそのまま回動させて開いた場合に、回動中心であるヒンジ部３１の近傍である中央回動扉１１の端部が、隣接する回動扉９，１０に当接してしまい、うまく開くことができないという不具合を解消できる。
【００３７】
図６及び図８（ａ）に示すように、図７（ｂ）の中央回動扉１１を前方に引出した状態から、中央回動扉１１の図示左側を前方に引出すことで、中央回動扉１１は図示右側のヒンジ部３１周りに、すなわち軸ピン３９〜４２周りに左回動し、左開きの状態となる（図８（ａ）白抜き矢印参照）。このとき、第１の連結アーム２２は、吊下金具２９から前方に僅かに突出した位置で留まり、中央回動扉１１の右端のヒンジ部３１を、回動中心となる軸ピン３９〜４２近辺から動かないように拘束し、支持する。このようにすることで、中央回動扉１１は、軸ピン３９〜４２周りにスムーズに回動可能となる。
【００３８】
一方、第２の連結アーム２３は、図７（ｂ）の平面視第１の連結アーム２２と交差した状態から、中央回動扉１１の左回動とともに、図示右側のヒンジ部３１周りに左回動し、中央回動扉１１の裏面２６に沿って移動する。
【００３９】
また、図８（ｂ）に示すように、図７（ｂ）の中央回動扉１１を前方に引出した状態から、中央回動扉１１の図示右側を前方に引出すことで、中央回動扉１１は図示左側のヒンジ部３１周りにすなわち軸ピン４３〜４６周り（図５（ｂ）参照）に右回動し、右開きの状態となる（図８（ｂ）白抜き矢印参照）。このとき、上述した左開きの状態と逆に、第２の連結アーム２３は、吊下金具２９から前方に僅かに突出した位置で留まり中央回動扉１１の左端のヒンジ部３１を、回動中心となる軸ピン４３〜４６近辺から動かないように拘束し、支持する。このようにすることで、中央回動扉１１は、軸ピン４３〜４６周りにスムーズに回動可能となる。
【００４０】
一方、第１の連結アーム２２は、図７（ｂ）の平面視第２の連結アーム２３と交差した状態から、中央回動扉１１の右回動とともに、図示左側のヒンジ部３１周りに右回動し、中央回動扉１１の裏面に沿って移動する。
【００４１】
上述したように、収納キャビネット２には、中央に配置された左右両開き構造の中央回動扉１１、中央回動扉１１の左側に設けられた右開き構造の左側回動扉９、そして中央回動扉１１の右側に設けられた左開き構造の右側回動扉１０の計３枚の扉が並設して設けられている。開口面１７，１８，１９を開放する際には、図２（ｂ）及び図２（ｃ）に示すように、右側回動扉１０と中央回動扉１１、左側回動扉９と中央回動扉１１の組み合わせで、それぞれ観音開きが可能となっているので、２方向からの物品の出し入れが可能となっている。
【００４２】
このように収納キャビネット２が設けられたキッチン１において、コンロ７及びシンク８の使用者は、収納キャビネット２内の収容物を出し入れするために収納キャビネット２の正面に立ってから収納キャビネット２の扉を開閉させる必要が無く、コンロ７及びシンク８のどちらの方向からでも収容物の出し入れを行えるようになっている。
【００４３】
上記したように収納キャビネット２を構成することで、隣りの中央回動扉１１に対向する側辺側周りに回動可能な片開き構造の右側回動扉１０、左側回動扉９と、両隣りの右側回動扉１０、左側回動扉９に隣接する二側辺側のいずれか一側辺側周りに回動可能な両開き構造の中央側に設けた中央回動扉１１とを組合わせて配置することにより、製造コストを抑えるとともに、任意の隣り合った２枚の回動扉を観音開きにして開口面積を大きく取ることが出来る。
【００４４】
また、上記したように収納キャビネット２を構成することで、任意の隣り合った２枚の回動扉９，１０，１１を観音開きにして、連続した開口面１７，１８，１９からなる開口面積を大きく取った一の開口を利用し、収納部に収納物を出し入れ出来る。
【００４５】
また、上記したように収納キャビネット２を構成することで、所定角度を有する開口を設けた収納キャビネットの形状に合わせて、回動扉９，１０，１１を適宜設置出来るばかりか、所定角度分を除いた小さい開き角度で、開口面１７，１８，１９を全開に出来る。
【００４６】
更に、上記したように収納キャビネット２を構成することで、中央の両開き構造の回動扉が、角部を切り落して形成した中央の開口面を開閉するため、３面形成した開口を設けた収納キャビネットを、キッチン等の比較的狭い場所のコーナーに配置しても、邪魔になることなく回動扉を回動出来る。
【００４７】
上記したように支持装置２５を構成することで、一方の連結アーム２２，２３を利用して、中央回動扉１１をいずれか一側辺側周りに回動する場合に、他方の連結アーム２３，２２により、中央回動扉１１の一側辺側を支持しながらスムーズに回動出来るため、従来の蛇腹機構等の複雑な機構を要さずに簡便に両開き構造にできる。また、この場合に、一方の連結アーム２２，２３により、他方の連結アーム２３，２２をリンク部材２４を用いて拘束して支持するので、中央回動扉１１が他側辺側周りに回動しようとする動きを規制できるため、従来の磁石等を用いたストッパ機構を構成する必要がない。
【００４８】
また、上記したように支持装置２５を構成することで、両開き構造の中央回動扉１１の回動半径を同じく出来るばかりか、連結アーム２２，２３の部材を共通化して製造コストを抑えることが出来る。
【００４９】
また、上記したように支持装置２５を両開き構造構成することで、開口の互いに対向する上下の両端縁側を除く中央側に特段の回動部材を構成する必要が無いため、開口を広く取ることが出来、収納物を収納部へ出し入れし易い。
【００５０】
更に、上記したように支持装置２５を構成することで、第１の連結アーム２２と第２の連結アーム２３とが、互いに干渉することなくスムーズに中央回動扉１１を回動させることが出来る。
【００５１】
また、上記したように支持装置２５を構成することで、リンク部材２４を介して連結された連結アーム２２，２３により回動することにより、中央回動扉１１の回動軸を適宜移動出来るため、両隣りの回動扉９，１０と干渉することなく回動することが出来る。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、上記実施例では、収納キャビネット２は平面視略五角形に形成されており、前面に所定角度を有して連続した開口面１７，１８，１９が開口しているが、例えば収納キャビネットの平面視形状は、長手方向に幅広の前面を有した長方形状であって、右側回動扉、左側回動扉、中央回動扉が、前記前面一面に設けられていてもよいし、例えば収納キャビネットの平面視形状は、正方形状であって、１つの面を両開き可能な中央回動扉で開閉し、その左右の面を片開きする右側回動扉と左側回動扉で開閉するようにしてもよい。また、中央回動扉の形状若しくは吊下金具の形状は、必ずしも本実施例に限られず、収納キャビネットの形状等に応じて、適宜設計上の変更があっても構わない。
【００５４】
また、１つの面に形成された開口面の左右両端を、片開きの右側回動扉と左側回動扉で開閉できるようにし、その間の開口面を両開き可能な複数枚の回動扉が並設されていてもよい。
【００５５】
また、上記実施例では、回動扉９，１０，１１を水平に取り付け、垂直方向に枢支することで左右方向に開閉可能となっているが、例えば回転扉を垂直方向に立設して、且つ、収納キャビネットの本体における開口の互いに対向する左右の両端縁側に、第１の連結アームと第２の連結アームとから構成される両開き構造が、一対に構成され、水平方向の回動軸周りに開閉可能としてもよい。このようにすることで、本体における開口の互いに対向する左右の両端縁側を除く中央側に特段の回動部材を構成する必要が無いため、開口を広く取ることが出来、収納物を収納部へ出し入れし易い。
【００５６】
例えば、上記実施例では、支持装置２５を天板下面２８に設けた吊下金具２９と、中央回動扉１１の裏面２６の上下端左右に設けられた連結金具２７の間に、第１及び第２連結アーム２２，２３を上下方向に交わして、且つ第１及び第２リンク部材３３，３４を介して取り付けて構成しているが、例えば、天板下面２８と底面上面の左右端に円柱状の突起を形成し、更に中央回動扉の上面と下面の左右端に前述した円柱状の突起を正面方向から嵌合する溝を形成し、溝に嵌合した左右のどちらかの上下の突起が中央回動扉１１の枢軸として機能するようにしてもよい。
【００５７】
また、上記実施例では、中央回動扉１１の両開き構造を支持装置２５を用いて構成したが、例えば両開き構造を、開口面の左右のいずれか一端に蝶番を設けて、開口面に対し開閉可能に取り付けた内扉と、内扉の他端に更に蝶番を設けて、内扉に対し開閉可能に取り付けた外扉とで構成する蛇腹機構を用いて構成してもよい。
【図面の簡単な説明】
【００５８】
【図１】本発明の実施例における収納キャビネットを備えたキッチンを示す平面図である。
【図２】（ａ）は、収容キャビネットの回動扉を閉塞した状態を示す斜視図であり、（ｂ）は、同じく右側２枚の回動扉を観音開きにした状態を示す斜視図であり、（ｃ）は、同じく左側２枚の回動扉を観音開きにした状態を示す斜視図である。
【図３】収容キャビネットを示す平面図である。
【図４】収容キャビネットの支持装置を示す正面図である。
【図５】（ａ）は、支持装置を示す平面図であり、（ｂ）は、支持装置を示すＡ−Ａ正面図である。
【図６】中央回動扉の左開きを示す斜視図である。
【図７】（ａ）は、中央回動扉が閉塞した状態を示す平面図であり、（ｂ）は、中央回動扉が前方に引出された状態を示す平面図である。
【図８】（ａ）は、中央回動扉の左開きを示す平面図であり、（ｂ）は、中央回動扉の右開きを示す平面図である。
【符号の説明】
【００５９】
１                キッチン
２                収納キャビネット
３                キッチン台
４                通路
５                冷蔵庫
６                食器棚
９                左側回動扉
１０              右側回動扉
１１              中央回動扉
１２              背板
１３              天板
１４              底板
１６              棚板
１７              開口面
１８              開口面
１９              開口面
２２              第１の連結アーム
２３              第２の連結アーム
２４              リンク部材
２５              支持装置
２６              裏面
２７              連結金具
２９              吊下金具
３１              ヒンジ部
３２              螺着孔
３３              第１リンク部材
３４              第２リンク部材
３５〜５０        軸ピン
【図１】
2008180051.tif 000003
【図２】
2008180051.tif 000004
【図３】
2008180051.tif 000005
【図４】
2008180051.tif 000006
【図５】
2008180051.tif 000007
【図６】
2008180051.tif 000008
【図７】
2008180051.tif 000009
【図８】
2008180051.tif 000010